(57)【要約】【課題】人間が熱を出したとき、除熱体を用いる場合、寝たままの体勢を維持し人体を自由に動かせなかったことの苦痛や不便さを思い、除熱体を用いても自由な体勢がとれる方法として脇を冷やす除熱体が落ちないようにする為の除熱体の支持具を考案し、熱が出たときの生活を楽にしようとするものである。【解決手段】人体の胸部を囲繞する支持帯を設け、脇の下に臨む部位に除熱物を支持するスペース（袋体）と取り出し口を形成し、尚且つこの支持帯の人体の背面部にあたるところに所要の間隔で支持帯を吊持する吊持帯を設け、これを肩部に介して正面部にて着脱自在に構成する。【選択図】図１
0003108322.tif 000002
【実用新案登録請求の範囲】
【請求項１】
伸縮性のある布地で人体の胸部を背面部から正面部に亘って囲繞する支持帯を設け、かつ除熱物の収納袋を脇の下に臨む部位に形成する。この支持帯の中央部に所要の間隔で肩部を介して支持帯の背面部から正面部を吊持する吊持帯の一端部を縫着し、他端部を着脱自在に構成したことを除熱体の吊持帯とする。
【考案の詳細な説明】
【技術分野】
【０００１】この考案は、除熱体の吊持帯に関するものであって、詳しくは脇の下を冷やすための除熱体を落ちないようにするものである。
【背景技術】
【０００２】従来では人が熱を出したとき、後頭部に氷又は水枕などの除熱体をあてたり、額に濡れたタオルや、氷や水が入ったゴム状の袋などの除熱体をあてたりすることで除熱体を頭の一部に当て熱を下げる方法が行われてきた。その為、仰向けに寝ているままの体勢を維持しなければならないので、除熱体を用いる場合人体を自由に動かすことが出来ないため苦痛であった。【０００３】人間が熱を出したとき医学の立場からすると熱を冷ます方法として頭を冷やすか脇や足の付け根などのリンパ腺が通っているところを冷やすのが良いとされている。特に脇の下を冷やす方法は効果的といわれるのである。この脇を冷やす方法で日常の生活を行っていても熱冷ましの役割を果たせるものはないかと考えたのである。なぜなら人間が熱を出したとき安静にしているのが第一ではあるが中には、寝たきりの状態でいなければならないこと、同じ体勢を保たなければならないこと、安静にしていることが苦痛に感じ不快に思うとき、それらの状態でいられないときがあるからである。たとえば寝たきりの病人は床ずれの心配もあり、体を動かせることが出来る病人では気分の良い日は少しでも体を動かすことを望であろう。又，老人や子供は直接除熱物が肌に触れるのを嫌がり，小さい子供は高熱が出ていても体が動けるうちは静かに寝ていることは無く遊び出したり動き回ったりすることで親は心配に思い手を焼くことがどこの家庭でも見られることが多いのである。そして大人でも寝ているほどでもないとき寝ている状況でいられないときなどがあるからである。
【考案の開示】
【考案が解決しようとする課題】
【０００４】このような現状にかんがみ、この考案は熱を出している人に対し、健康への回復のため寝ていても日常の生活を行っていても熱冷ましの役割を果たすことが出来る除熱体の吊持帯を提供しようとするものである。
【課題を解決するための手段】
【０００５】上記課題を解決するためこの考案は、人体の胸部を囲繞する支持帯の左右端部に除熱物の収納部を形成し、更にこの支持帯の左右端上部に設けた吊持帯で肩部に介して背面支持部を吊持し脇にあたる除熱物を定着させることを特徴とするものである。
【考案の効果】
【０００６】したがってこの考案によれば、自由な体勢をとりながら熱冷ましの役割を果たすことが出来るばかりでなく直接肌に当てたくない時は衣類の上からでも用いることが出来るため不快感も少ない。用いる除熱物は、市販されているものもあるが凍らせて何回も使える保冷剤や身近なものでは氷をビニール袋などに入れたものでも良いので経済的である。又、サイズの変更が可能であり体型や年齢ごとに幅広く着装できる。熱が無いときでも夏の暑い時期に体を冷やすことが出来、外で労働する人には熱射病の予防になるのである。
【考案を実施するための最良の形態】
【０００７】図面にもとずいて説明する。この支持帯▲１▼は、織物・編み物・不織物でもよい。尚且つ、伸縮性や通気性があるものは適するものである。又、大人には柄物、子供にはキャラクターの絵柄などを用いると一層好まれる。袋体部▲５▼は、除熱物が融けてきたときの水滴を防ぐ素材を用いると良い。又、別に防水性のある素材で袋状にしたものを設けその中に除熱物を入れ袋体部▲５▼に収めても良いとする。この方法は、着装したとき除熱物の冷感の調節に用いることが出来る。背面部▲２▼の上部に収納口を設け背面部▲２▼でも収納できるスペース（袋体）があると利用が深まる。除熱物取り出し口を正面部側の袋体部の切り替え置▲８▼にもってきても良いとする。
【産業上の利用可能性】
【０００８】考案のものは、衣類でのベストとしての代わりとして用いることが出来る。
【図面の簡単な説明】
【０００９】
【図１】は、この考案を展開して示す展開図
【図２】は、この考案の使用状態を示す正面図
【図３】は、        同  上          背面図
【符号の説明】
【００１０】▲１▼  人体の胸部を囲繞する支持帯▲２▼  人体の背面支持部▲３▼  人体の脇支持部▲４▼  人体の正面支持部▲５▼  袋体部分  （除熱物を収納する）▲６▼  除熱物取り出し口部分▲７▼  支持帯を吊持する吊持帯▲８▼  袋体部分の切り替え置▲９▼  支持帯部の係着具  （調節可能）▲１０▼  吊持帯部の係着具  （調節可能）▲１１▼  支持帯と吊持帯の縫着部分▲１２▼  支持帯と吊持帯の着脱部分
【図１】
0003108322.tif 000003
【図２】
0003108322.tif 000004
【図３】
0003108322.tif 000005
【手続補正書】
【提出日】平成16年10月7日(2004.10.7)
【手続補正１】
【補正対象書類名】実用新案登録請求の範囲
【補正対象項目名】全文
【補正方法】変更
【補正の内容】
【実用新案登録請求の範囲】
【請求項１】
除熱体の吊持帯であって、この吊持帯は伸縮性のある布地で人体の胸部を囲繞する支持帯と人体の胸部を囲繞した際、脇の下に臨む支持帯の部位に形成した除熱体の収納袋と、支持帯の正面部と背面部とを人体の肩部を介して着脱自在に連結する紐帯とによって構成されていることを特徴とする除熱体の吊持帯。
【手続補正２】
【補正対象書類名】明細書
【補正対象項目名】全文
【補正方法】変更
【補正の内容】
【考案の詳細な説明】
【技術分野】
【０００１】  この考案は、除熱体の吊持帯に係り、詳しくは人が熱を出したとき、脇の下を冷やすための除熱体が落ちないように、脇の下に定着させることが出来る除熱体の吊持帯に関するものである。
【背景技術】
【０００２】  従来、人が熱を出したとき、後頭部に氷又は水枕などの除熱体を当てたり、額に濡れたタオルや、氷や水が入ったゴム状の袋などの除熱体を当てたりして、熱を下げる方法が行われてきた。しかし、この方法では仰向けに寝ているままの体勢を維持しなければならないので、人体を自由に動かすことが出来ないため、苦痛であった。【０００３】  そこで、上記のような苦痛を解消する方法として、人体の脇の下に除熱体を定着させる方法が提案されている。この方法によると、熱を冷ます場合に、従来のように寝たきりの状態でいなければならないという必要がなく、日常生活を普通に行っていながら熱冷ましの役割を果たすことが出来るという便利さがあるが、その反面、除熱体を確実に脇の下に定着させる方法がないという不都合があった。
【考案の開示】
【考案が解決しようとする課題】
【０００４】  この考案は、上記のような現状にかんがみ、従来の不都合を解消するために創案されたものであって、その意図するところは、熱を出している人に対し、寝ていても、日常生活を普通に行っていても、熱冷ましの役割を果たすことができ、もって健康を回復することができる除熱体の吊持帯を提供しようとするものである。
【課題を解決するための手段】
【０００５】  上記の課題を解決するため、この考案が採用した技術手段は、伸縮性のある布地で人体の胸部を囲繞する支持帯と、人体の胸部を囲繞した際、脇の下に臨む支持帯の部位に形成した除熱体の収納袋と、支持帯の正面部と背面部とを人体の肩部を介して着脱自在に連結する紐帯とによって構成された除熱体の吊持帯を特徴とするものである。
【考案の効果】
【０００６】  したがって、この考案によれば自由な体勢をとりながら熱冷ましの役割を果たすことができる許りでなく、除熱体は、収納袋に収納された状態で使用されるので、冷熱中に落ちるおそれは全くないため、日常生活に支障をきたすことはない。そのうえ、除熱体は、市販されている保冷剤を使用すれば何回も使用ができて経済的である。更に熱が出たときにのみ使用する場合に限らず、夏の暑い時期には健康な人にも体を冷やすために利用することができる。
【考案を実施するための最良の形態】
【０００７】  この考案の構成を図面に示す実施例に基づいて説明する。▲１▼は人体の胸部を囲繞する支持帯であって、この支持帯▲１▼は背面支持部▲２▼、脇支持部▲３▼、正面支持部▲４▼、脇支持部▲３▼に形成した除熱体の収納袋部▲５▼と、この収納袋部▲５▼の上縁に設けられた除熱体の取り入れ、取り出し用の開口部▲６▼と、正面支持部▲４▼と背面支持部▲２▼とを肩部を介して連結する紐帯▲７▼とによって構成されている。なお、除熱体の取り入れ、取り出し用の開口部は、収納袋部▲５▼の側縁▲８▼の設けてもよい。▲９▼は正面支持部▲４▼に装着された係着具、▲１０▼は紐帯▲７▼に装着された係着具であって、背面支持部▲２▼の上縁部▲１１▼は紐帯▲７▼の一端部が縫着されており、他端部は上記係着具▲１０▼を介して正面支持部▲４▼の上縁部▲１２▼と着脱自在に連結されるようになっている。そして、上記のように構成された支持帯▲１▼の素材は、織物、編み物、不織布のいずれでもよく、また伸縮性、通気性のあるものが望ましい。
【産業上の利用可能性】
【０００８】  この考案は、衣類でのベストとしての代わりとして用いることができる。
【図面の簡単な説明】
【０００９】
【図１】は、この考案を展開して示す展開図
【図２】は、この考案の使用状態を示す正面図
【図３】は、          同  上        背面図
【符号の説明】
【００１０】▲１▼  人体の胸部を囲繞する支持帯▲２▼  背面支持部▲３▼  脇支持部▲４▼  正面支持部▲５▼  収納袋部▲７▼  紐帯▲９▼  正面支持部に装着した係着具▲１０▼  紐帯に装着した係着具